(57)【要約】【課題】常に戸当り部材が１つで済み、床など引戸周りの掃除の邪魔にもならない引戸用戸当りを提供する。【解決手段】戸当りＴを、開口部１０と対向する側の引戸Ｄの片側板面ｄに横向けに取り付け、引戸Ｄの開閉時に弾性戸当り部２０の戸当りゴム２５・２６が戸枠Ｆの縦枠材１２・１３に当たって引戸Ｄを全閉位置又は全開位置に停止して開閉ストロークを制御する。戸当りＴは、取付状態において、戸当りゴム２５・２６が引戸Ｄに対する取付部位に重なって突出し、これら戸当りゴムで取付部位にある見栄えの悪い止めねじの頭部やねじ挿通穴を覆って目隠ししてなる。【選択図】          図１
2006322247.tif 000002
【特許請求の範囲】
【請求項１】
戸枠内に形成する開口部を開閉する引戸を止めて開閉ストロークを制御する引戸用戸当りであって、前記開口部と対向する側の引戸の片側板面に横向けに取り付け、該引戸の開閉時に弾性戸当り部が前記戸枠の縦枠材に当たって引戸を停止するようになっていることを特徴とする、引戸用戸当り。
【請求項２】
前記引戸の片側板面に固定手段で取り付ける取付部位に重なるように前記弾性戸当り部を突設し、該弾性戸当り部で前記取付部位を覆って目隠ししてなることを特徴とする、請求項１に記載の引戸用戸当り。
【発明の詳細な説明】
【技術分野】
【０００１】
本発明は、引戸の開閉時に引戸を止めて開閉ストロークを制御する戸当りに関する。
【背景技術】
【０００２】
最近、建物内を介護に適した構造にリフォームする場合には、既存の各種扉の中で、回動開閉式の開き戸は取り外し、要介護者に優しいスライド開閉式の引戸に付け替える改造を行うことが多い。従来、このように開き戸を引戸に付け替える場合、たとえば図８に示すように、引戸１は、所謂アウトセット方式により、既存の戸枠２の外側（図中上側）に重ねて、開口部３と壁４に沿って図中左右にスライド自在に取り付けている。そのため、引戸１が往復動する軌道上において戸先側と戸尻側に戸当り５・６を床付けし又は壁付けし、図８（Ａ）に示すように開口部３を全閉した閉位置と同図（Ｂ）に示すように全開した開位置において、引戸１を戸当り５・６に当てて停止し、引戸１の開閉ストロークを所定長さに制御している。
【発明の開示】
【発明が解決しようとする課題】
【０００３】
ところが、従来、戸当りは床付けすると、その上向きの出っ張りが邪魔になり、引戸周りでの床掃除が面倒であるという課題があった。また、戸当りを床付けしようと又は壁付けしようと、上述のアウトセット方式にて引戸を取り付ける場合に、戸当り５・６は引戸１が往復動する軌道上において、戸先側と戸尻側の２箇所に付設する必要があり、それだけ戸当りの部品点数が多くなるという課題があった。
【０００４】
そこで、上記した課題を解決すべく、請求項1に記載の発明は、たとえば以下に示す図示実施の形態のとおり、戸枠Ｆ内に形成する開口部１０を開閉する引戸Ｄを止めて開閉ストロークを制御する引戸用戸当りＴであって、前記開口部１０と対向する側の引戸Ｄの片側板面ｄに横向けに取り付け、該引戸Ｄの開閉時に弾性戸当り部２０が前記戸枠Ｆの縦枠材１２・１３に当たって引戸を停止するようになっていることを特徴とする。
【０００５】
請求項２に記載の発明は、請求項1に記載の引戸用戸当りＴにおいて、たとえば以下に示す図示実施の形態のとおり、前記引戸Ｄの片側板面ｄに止めねじ２１のような固定手段で取り付ける取付部位に重なるように前記弾性戸当り部２０を突設し、該弾性戸当り部２０で前記取付部位を覆って目隠ししてなることを特徴とする。
【発明の効果】
【０００６】
請求項1に記載の発明によれば、戸当りは、引戸の片側板面に横向けに取り付け、弾性戸当り部を戸枠の縦枠材に当てて引戸を停止し開閉ストロークを制御する構成であるため、従来の如く戸先側と戸尻側に２つも設置する必要がなく、常に戸当り部材は１つで済み、それだけ部品点数を少なくし、コストも低減させることができる。また、床などの引戸周りの掃除の邪魔になることもないという利点がある。
【０００７】
請求項２に記載の発明によれば、見栄えの良くない止めねじのねじ頭部などを弾性戸当り部で覆い隠し、これにより、美観を損なうことなく、戸当りを引戸の板面に取り付けることができる。
【発明を実施するための最良の形態】
【０００８】
以下、図面を参照しつつ、本発明の実施の形態について説明する。
【０００９】
図１は、本発明の戸当りで引戸を全閉位置に停止させた状態で示す引戸構造体の正面図、図２は引戸の構造を示す斜視図である。引戸構造体は、引戸Ｄと、引戸Ｄを組み付ける壁Ｗと、枠内に壁Ｗの開口部１０を形成した戸枠Ｆとを備え、引戸Ｄを、戸枠Ｆの外側（図１中奥側）に重ねて、壁Ｗに沿って開口部１０の図中左右にスライド自在に吊設したアウトセット構造になっている。戸枠Ｆは、天井側横枠材１１と、図中左右の戸先側および戸尻側の縦枠材１２・１３とで開口部１０を矩形に枠付けしている。そこで、本発明では、引戸Ｄは、両板面の戸先寄りに、それぞれ半円板状をなす手掛り１４・１５を縦向けに付設する一方、特に片側（図中手前の正面側）の板面ｄにあって、内側の手掛り１４の略真上に戸当りＴを１つ横向けに付設してなる。
【００１０】
図示例の戸当りＴは、図３に示すように、取付本体１９と、弾性戸当り部２０と、固定手段の止めねじ２１を備えた構成になっている。取付本体１９は、例えばアルミニウムで一体成形し、長さ方向に貫通穴２２をあけたパイプ部１９ａと、パイプ部１９ａの両端に有する取付鍔部１９ｂ・１９ｂとを設けてなる。そして、取付鍔部１９ｂ・１９ｂには、ねじ挿通穴２３が開けられている。図示例の弾性戸当り部２０は、取付本体１９に対し別体の、２つの戸当りゴム２５・２６を用いて構成されている。戸当りゴム２５・２６は、ビンの栓状をなし、差込み部２５ａ・２６ａと、それより一段太径な突当て部２５ｂ・２６ｂとからなる。差込み部２５ａ・２６ａは、それぞれ取付本体１９の貫通穴２２の穴径より若干大径に形成する一方、その外周面に一部凹み２７…を刻設してなる。突当て部２５ｂ・２６ｂは、その突出長さを取付本体１９の取付鍔部１９ｂの張り出し長さより長く形成している。斯かる部品構成の戸当りＴは、取付本体１９の両端に、図４に示すように差込み部２５ａ・２６ａを貫通穴２２内に押し込んで、戸当りゴム２５・２６を着脱自在に連結して構成する。また、ねじ挿通穴２３に止めねじ２１を通して取付鍔部１９ｂ・１９ｂで引戸Ｄの片側板面ｄにねじ止めして固定するようになっている。なお、弾性戸当り部２０は、弾性を有する部材で形成すればよく、戸当りゴム２５・２６のようなゴム製に限らず、例えば樹脂製であってもよい。
【００１１】
そこで、本発明では、以上のような構成の戸当りＴを引戸Ｄに付設する。図示例では、特に引戸Ｄの片側板面ｄにあって、手掛り１４の略真上でそれと直交する横向けに取り付けて使用する。その場合、戸当りＴは、取付本体１９を、取付鍔部１９ｂ・１９ｂのねじ挿通穴２３に止めねじ２１を通して片側板面ｄにねじ止めしてから、貫通穴２２の左右穴部内に差込み部２５ａ・２６ａをそれぞれ押し込み、戸当りゴム２５・２６を取付本体１９の両端に連結する。すると、戸当りＴは、戸当りゴム２５・２６の突当て部２５ｂ・２６ｂが手掛り１４より戸先側と戸尻側にそれぞれ突出した状態で、引戸Ｄの片側板面ｄに取り付けられる。また、戸当りＴは、この取付状態において、戸当りゴム２５・２６が引戸Ｄに対する取付部位である取付鍔部１９ｂ・１９ｂに重なって突出し、これら戸当りゴム２５・２６で取付部位にある見栄えの悪い止めねじ２１の頭部やねじ挿通穴２２を覆って目隠ししている。
【００１２】
さて、上記引戸構造体では、手掛り１４・１５を持ち、引戸Ｄをスライドさせて開口部１０を閉じたとき、図１および図５に示すように、戸当りＴは、戸先側の戸当りゴム２５が戸枠Ｆの戸先側縦枠材１２に当たって引戸Ｄを停止し、開口部１０が全閉した閉位置に位置決める。一方、引戸Ｄをスライドさせて開口部１０を開くときは、図６および図７に示すように、戸当りＴは、戸尻側の戸当りゴム２６が戸枠Ｆの戸尻側縦枠材１３に当たって引戸Ｄを停止して開口部１０が全開した開位置に位置決めする。こうして、引戸Ｄの片側板面Ｄに取り付けた戸当りＴで引戸Ｄの開閉ストロークを所定長さに制御する。
【図面の簡単な説明】
【００１３】
【図１】本発明の引戸用戸当りで引戸を全閉位置に停止した状態で示す引戸構造体の正面図である。
【図２】本発明の戸当りを取り付けた引戸の構造を示す斜視図である。
【図３】本発明の戸当りの分解斜視図である。
【図４】本発明の戸当りの組立斜視図である。
【図５】本発明の戸当りで引戸が全閉位置に停止した状態を示す概略平面図である。
【図６】本発明の戸当りで引戸が全閉位置に停止した状態を示す正面図である。
【図７】本発明の戸当りで引戸が全閉位置に停止した状態を示す概略平面図である。
【図８】（Ａ）従来の引戸用戸当りで引戸が全閉位置に停止した状態を示す正面図、（Ｂ）引戸用戸当りで引戸が全閉位置に停止した状態を示す概略平面図である。
【符号の説明】
【００１４】
Ｄ            引戸
Ｆ            戸枠
Ｔ            戸当り
Ｗ            壁
ｄ            引戸の片側板面
１０          開口部
１２・１３    縦枠材
２０          弾性戸当り部
２５・２６    戸当りゴム
【図１】
2006322247.tif 000003
【図２】
2006322247.tif 000004
【図３】
2006322247.tif 000005
【図４】
2006322247.tif 000006
【図５】
2006322247.tif 000007
【図６】
2006322247.tif 000008
【図７】
2006322247.tif 000009
【図８】
2006322247.tif 000010